(57)【要約】【課題】折丁給紙装置において、搬送ベルト上に載置された折丁束の右側と左側とで進行に差を生じたときに、電磁クラッチを用いずに手作業で容易に補正できるようにする。【解決手段】回転駆動軸２に複数のワンウェイ駆動プーリ５〜８と複数の下流側搬送ベルト駆動プーリ19〜22を設け、前方の下流側搬送ベルト軸31に前記駆動プーリ19〜22に対応する下流側搬送ベルトプーリ27〜30を設け、後方の上流側搬送ベルト軸34には前記ワンウェイ駆動プーリ５〜８に対応する上流側搬送ベルトプーリ13〜16を設け、各下流側搬送ベルトプーリと各下流側搬送ベルト駆動プーリとの間に下流側搬送ベルト23〜26を懸け渡し、各上流側搬送ベルトプーリと各ワンウェイ駆動プーリの間には上流側搬送ベルトを懸け渡す。【選択図】図１
2010037071.tif 000002
【特許請求の範囲】
【請求項１】
搬送方向前方へ下り傾斜している搬送ベルトと搬送方向前方のベルト折り返し位置で、ベルトから予め定めた高さ寸法の位置に下辺を有する支持板とからなり、搬送ベルト上に紙面を搬送方向に向けて載置され支持板まで搬送された用紙束の最前方用紙を支持板の下方から吸着パッドにより１部ずつ引き出すことにより給紙する給紙装置であって、
搬送ベルトは、１又は平行する複数の上流側搬送ベルトと１又は平行する複数の下流側搬送ベルトとからなり、
上流側搬送ベルトは、搬送方向後方に設けられた上流側搬送ベルト軸に回転自由に軸支された上流側搬送ベルトプーリと、前記上流側搬送ベルト軸より下流にありモータによって回転駆動される回転駆動軸に前方回転自由のワンウェイクラッチを介して設けられたワンウェイ駆動プーリとの間に懸け渡され、
下流側搬送ベルトは、前記回転駆動軸に固定して設けられた下流側搬送ベルト駆動プーリと搬送方向前方に設けられた下流側搬送ベルト軸に回転自由に軸支された下流側搬送ベルトプーリとの間に懸け渡されていることを特徴とする給紙装置。
【請求項２】
上流側搬送ベルトの表面に、載置された用紙束が下部の方から後方へ雪崩ないように凹凸が設けられていることを特徴とする請求項１記載の給紙装置。
【発明の詳細な説明】
【技術分野】
【０００１】
本発明は、折った用紙の折内に広告ちらし等のような用紙を挟んだ用紙の束から一部ずつ取り出して供給する給紙装置の技術分野の発明である。
【背景技術】
【０００２】
このような給紙装置として従来、図３、図４、図５に示すようなものがある。
図３は、搬送方向に向って下り傾斜の搬送ベルトの上に、折り部分を下にした用紙束を載置した側面図である。但し、電磁クラッチ、駆動ベルト、ウォーム歯車等は省略されている。支持板６７に達している最先の用紙が吸着パッド５７で引き出され、排出主動ローラ５５と排出従動ローラ５６に挟まれて右方へ排出される。
図４は、図３を上から見た略図である。
【０００３】
図５は、図４の用紙束６８を取り除いた搬送ベルトの配置を上から見た図である。
搬送ベルトは、上流側搬送ベルト９〜１１と下流側搬送ベルト２３〜２６で構成されている。
図示されていないモータによりウォーム４８が回転することによりウォーム歯車４９が回転し、これに連結されている第１駆動軸５２が回転する。この第１駆動軸５２には第１電磁クラッチ５０と第２電磁クラッチ５１が設けられている。
【０００４】
第１電磁クラッチ５０には駆動ベルト５８が懸けられており、この駆動ベルト５８の他方側は、軸受３８，３９に軸支されている第２駆動軸５３に固定的に設けられている第１駆動プーリ６０に懸けられており、これにより、第２駆動軸５３が回転する。この軸には、上流側搬送ベルト駆動プーリ３５および下流側搬送ベルト駆動プーリ１９が固定的に設けられて、それぞれ上流側搬送ベルト９および下流側搬送ベルト２３が懸けられている。そして、上流側搬送ベルト９の他方側は、軸受１７，１８に軸支された上流側搬送ベルト軸３４に回転自由に設けられた上流側搬送ベルトプーリ１３に懸けられており、下流側搬送ベルト２３の他方側は、軸受４２，４３に軸支された第１下流側搬送ベルト軸６２に設けられた下流側搬送ベルトプーリ２７に懸けられている。
【０００５】
以上により、第１電磁クラッチ５０が接の状態で第１駆動軸５２が回転すると上流側搬送ベルト９と下流側搬送ベルト２３が同時に矢印方向へ搬送移動することになる。
同様に、第２電磁クラッチ５１が接の状態で、第１駆動軸５２が回転すると駆動ベルト５９、第２駆動プーリ６１により、軸受４０，４１に軸支された第３駆動軸５４が回転し、この軸に固定された上流側搬送ベルト駆動プーリ３６，３７、下流側搬送ベルト駆動プーリ２０，２１，２２にそれぞれ懸けられた上流側搬送ベルト１０，１１および下流側搬送ベルト２４，２５，２６が矢印方向に搬送移動する。
【０００６】
このように、右側の第１電磁クラッチ５０経由で駆動される上流側搬送ベルト９、下流側搬送ベルト２３（右系統）と、左側の第２電磁クラッチ５１経由で駆動される上流側搬送ベルト１０，１１、下流側搬送ベルト２４，２５，２６（左系統）とに駆動系が左右で別になっている。従って、両方の電磁クラッチが接になっているときはすべての搬送ベルトが進行するが、いずれか一方の電磁クラッチを断にするとその駆動系は停止することになる。
【０００７】
このようにしている理由は、折った用紙に、ちらし６６等を挟み込んだ形の用紙を束にして、図４のように搬送ベルト上に載置し、搬送すると、ちらし６６の位置によって用紙束の左右がバランスよく進行しないという状況が発生する。例えば、ちらし６６が図４の（ａ）のように右寄りで挟まれている場合には、（ｂ）に示すように左側が遅れて支持板６７に対し平行にならなくなる。
【０００８】
これを修正して（ａ）のように戻すために、右系統の搬送ベルトを停止させ、左系統の搬送ベルトだけを搬送させるようにしている。
右側が遅れた場合に左系統の搬送ベルトを停止させる。
このような制御は、支持板６７に至る直前で、用紙束搬送面より下方で用紙束の幅よりやや内側の位置に用紙検知センサ６４，６５を設けて、左側の用紙検知センサ６５が図４の（ｂ）のように用紙を検知しない場合には、第１電磁クラッチ５０を断にして右系統の搬送ベルトを停止させ、左系統の搬送ベルトだけを搬送させることにより、用紙束の左側を支持板６７に接するようにさせる。そうすると、用紙検知センサ６５が用紙を検知するようになるので、断にしていた右側の第１電磁クラッチ５０を接にして左右両系統の搬送ベルトを稼働させる。
【０００９】
逆に、用紙束６８の右側が遅れて支持板６７との間に隙間ができると、用紙検知センサ６４が用紙を検知しなくなるので、第２電磁クラッチ５１を断にして左系統の搬送動作を停止させ、右系統のみを動作させるので用紙束６８の右側の方が前進させられて支持板６７との隙間がなくなり、用紙検知センサ６４が用紙を検知するので、断にしていた左側の第２電磁クラッチ５１を接に戻して左右両系統の搬送が行われるようにする。
【００１０】
このように、用紙検知センサ６４，６５の用紙不検知・用紙検知によって、第２電磁クラッチ５１、第１電磁クラッチ５０を断・接にする制御は図示されていない制御回路によって行われている（特許文献１参照）。
【特許文献１】特許第３４６４５３０号特許号公報（段落［００２７］〜［００２９］、図１、図４）。
【発明の開示】
【発明が解決しようとする課題】
【００１１】
以上のように上記従来装置は、搬送ベルト上に載置された用紙束の搬送方向に対する左右の傾きを補正するため、右系統の搬送ベルトと左系統の搬送ベルトの搬送動作を左右２つの電磁クラッチの断・接によって行っているが、この電磁クラッチが高価であるという問題点がある。
【００１２】
その他、搬送ベルト上に載置した用紙束の分量が多く、上流側搬送ベルト上にも相当量が載置されるようになると、後方の用紙の下部が上流側搬送ベルト上を後方へ滑って図６に示すような雪崩現象を起こすことがあるという問題もある。
【００１３】
本発明の課題は、まず、従来のような高価な電磁クラッチを用いずに簡単な手操作で左右の傾きを補正することができる給紙装置を実現することにある。
加えて、上流側ベルト上で用紙束の後方が雪崩現象を起こさない給紙装置を実現することにある。
【課題を解決するための手段】
【００１４】
本発明は、上記の課題を解決するために、以下の各手段構成を有する。
本発明の第１の構成は、搬送方向前方へ下り傾斜している搬送ベルトと搬送方向前方のベルト折り返し位置で、ベルトから予め定めた高さ寸法の位置に下辺を有する支持板とからなり、搬送ベルト上に紙面を搬送方向に向けて載置され支持板まで搬送された用紙束の最前方用紙を支持板の下方から吸着パッドにより１部ずつ引き出すことにより給紙する給紙装置であって、搬送ベルトは、１又は平行する複数の上流側搬送ベルトと１又は平行する複数の下流側搬送ベルトとからなり、上流側搬送ベルトは、搬送方向後方に設けられた上流側搬送ベルト軸に回転自由に軸支された上流側搬送ベルトプーリと、前記上流側搬送ベルト軸より下流にありモータによって回転駆動される回転駆動軸に前方回転自由のワンウェイクラッチを介して設けられたワンウェイ駆動プーリとの間に懸け渡され、下流側搬送ベルトは、前記回転駆動軸に固定して設けられた下流側搬送ベルト駆動プーリと搬送方向前方に設けられた下流側搬送ベルト軸に回転自由に軸支された下流側搬送ベルトプーリとの間に懸け渡されていることを特徴とする給紙装置である。
【００１５】
本発明の第２の構成は、前記第１の構成に、上流側搬送ベルトの表面に、載置された用紙束が下部の方から後方へ雪崩ないように凹凸が設けられていることを特徴とする給紙装置である。
【発明の効果】
【００１６】
上記手段構成によれば、搬送方向先端に搬送方向と直交する方向の下流側搬送ベルト軸があり、その後方に平行に回転駆動軸があり、その後方に平行に上流側搬送ベルト軸がある。下流側搬送ベルト軸には複数の下流側搬送ベルトプーリが回転自由に設けられている。
回転駆動軸には、前記下流側搬送ベルトプーリに対応する位置に下流側搬送ベルト駆動プーリが軸と固定的に設けられている。回転駆動軸にはもう１つ、複数のワンウェイ駆動プーリが前記下流側搬送ベルト駆動プーリと交互に設けられている。このワンウェイ駆動プーリは、回転駆動軸が搬送方向に回転したときには強制的に同方向に回転させられるが、ワンウェイ駆動プーリのベルトが懸かる部分を搬送方向へ回転させたときは自由回転する。
【００１７】
上流側搬送ベルト軸には、前記ワンウェイ駆動プーリに対応する位置に上流側搬送ベルトプーリが設けられている。
そして、下流側搬送ベルトプーリと下流側搬送ベルト駆動プーリとの間には下流側搬送ベルトが懸け渡されており、上流側搬送ベルトプーリとワンウェイ駆動プーリの間には上流側搬送ベルトが懸け渡されている。
【００１８】
従って、上流側搬送ベルトは、搬送駆動されているときでも、手作業で搬送速度よりも速い速度で前方へ押し進めることができる。勿論、搬送駆動されていないときでも手作業で前方へ押し進めることができる。
【００１９】
以上のような構成となっているから、モータによって回転駆動軸が搬送方向に回転すれば、上流側、下流側のすべて搬送ベルトは搬送方向へ前進する。従って、ベルト上に載置した用紙束は、前方の支持板へ向って搬送され１部ずつ引き出されることによって給紙することになる。
【００２０】
そして、このような給紙を行っている過程で、折った用紙の間に挟んだちらしその他の位置により、用紙束の左側或いは右側に進行の遅れが生じ用紙束前方の向きが左右いずれかへ傾くような事態が発生したときには、上流側搬送ベルト上にある用紙束の遅れた側の後端を手で押すか或いは、複数ある上流側搬送ベルトのうち遅れを生じた側のベルトを手で前方へ進めることにより、用紙束の傾きを直すことができる。
【００２１】
このように、従来装置のように高価な電磁クラッチを用いず、安価なワンウェイクラッチを用いるだけで搬送ベルト上の用紙束進行の傾きを直すことができるという効果がある。
【００２２】
本発明の第２の構成は、上流側搬送ベルトの表面に凹凸が設けられているので用紙束の後方部分が後の方へ雪崩ないという効果があるし、前記のように用紙束の左右いずれかに進行の遅れが生じて、手作業で押し進める場合も用紙束がベルト上を滑ることなく効果的に補正ができるという効果がある。
【発明を実施するための最良の形態】
【００２３】
本発明を実施するに当たっては、回転駆動軸に設けるワンウェイ駆動プーリと下流側搬送ベルト駆動プーリは交互に設けるのが最良である。また、搬送方向に向って左寄りおよび右寄りのワンウェイ駆動プーリと下流側搬送ベルト駆動プーリは近付けるのが最良である。
それは、用紙束の左右いずれかに進行遅れが生じてこれを補正する場合、上流側搬送ベルトと下流側搬送ベルトは、用紙束の搬送受け渡しでできるだけ連続性が保てた方がよいからである。
【実施例】
【００２４】
以下、本発明給紙装置の実施例を図面を参照して説明する。
図１は、本発明給紙装置の用紙束搬送部分の平面図である。
回転駆動源１に連結された回転駆動軸２は軸受３，４に軸支されている。この回転駆動軸２には４個のワンウェイ駆動プーリ５，６，７，８と、４個の下流側搬送ベルト駆動プーリ１９，２０，２１，２２が交互に設けられている。回転駆動軸２の搬送方向前方には、下流側搬送ベルト軸３１が、軸受３２，３３に軸支されており、この下流側搬送ベルト軸３１には４個の下流側搬送ベルトプーリ２７，２８，２９，３０が回転自在に軸支されている。
【００２５】
そして、前記下流側搬送ベルト駆動プーリ１９，２０，２１，２２との間にそれぞれ下流側搬送ベルト２３，２４，２５，２６が懸け渡されている。回転駆動軸２の搬送方向後方には、上流側搬送ベルト軸３４が軸受１７，１８に軸支されており、この上流側搬送ベルト軸３４には前記４個のワンウェイ駆動プーリ５，６，７，８に対応させて４個の上流側搬送ベルトプーリ１３，１４，１５，１６がそれぞれ回転自在に設けられている。
【００２６】
そして、各ワンウェイ駆動プーリ５，６，７，８と上流側搬送ベルトプーリ１３，１４，１５，１６の間には上流側搬送ベルト９，１０，１１，１２が懸け渡されている。ワンウェイ駆動プーリは、ワンウェイクラッチを介して回転駆動軸２に設けられているプーリであるので、回転駆動軸２が回転矢印の方向に回転したときには連動して同じ方向に回転するが、回転駆動軸２が停止しているときでも各上流側搬送ベルトを搬送方向へ手操作で進めるときには自由に回転する。
【００２７】
また、回転駆動軸２が回転し、ワンウェイ駆動プーリが回転しているときであっても、その回転速度よりも速い速度で回転するように上流側搬送ベルトを手操作で進めるときも自由に回転する。
従って、回転駆動軸２が通常の回転をしているときには、すべての上流側搬送ベルト９〜１２およびすべての下流側搬送ベルト２３〜２６は矢印方向に進行し、ベルト上に用紙束が載置されているときにはその用紙束を前方へ搬送することになる。そして、この搬送中に、折丁に挟んだちらし広告等の位置や分量の多寡によって用紙束の左右で進行に差を生じた場合には、用紙束の遅れた側の後端或いはその部分の上流側搬送ベルトを手操作で前方へ押しやると遅れていない側の上流側搬送ベルトの進行よりも速い速度で進行させることができるので容易に左右バランスのとれた用紙束搬送に復帰させることができる。
【００２８】
また、回転駆動軸２が停止時であっても上流側搬送ベルトは、ワンウェイ駆動プーリの機能により、前進させることができるので停止時であっても手操作で用紙束の傾きを正常向きに復帰させることができる。
【００２９】
なお、本実施例では、ベルトの本数は上流、下流とも４本であるが、これに限定されるものではない。
更に、上記のような復帰効果を確実にするには、用紙束の上流側搬送ベルトに接している部分がベルト上で滑らないようにするため、上流側搬送ベルトの表面に凹凸を設けるのがよい。
【００３０】
図２は、上流側搬送ベルト９〜１２の幅方向に平行に断面三角の細い溝を設けた例であるが、凹凸の種類形状は滑りを防止できさえすればどのようなものであってもよい。
【図面の簡単な説明】
【００３１】
【図１】本発明給紙装置の用紙束搬送部分の実施例の平面図である。
【図２】本発明における上流側搬送ベルト表面に凹凸を設けた実施例の側面図である。
【図３】従来の給紙装置で搬送方向に向って下り傾斜の搬送ベルトの上に折り部分を下にした用紙束を載置した側面図である。
【図４】図３を上から見た平面略図である。
【図５】図４の用紙束を取り除いた搬送ベルトの配置を上から見た平面図である。
【図６】従来装置において上流側搬送ベルト上の用紙束後方が雪崩現象を起こした状態の側面図である。
【符号の説明】
【００３２】
１  回転駆動源
２  回転駆動軸
３〜４  軸受
５〜８  ワンウェイ駆動プーリ
９〜１２  上流側搬送ベルト
１３〜１６  上流側搬送ベルトプーリ
１７〜１８  軸受
１９〜２２  下流側搬送ベルト駆動プーリ
２３〜２６  下流側搬送ベルト
２７〜３０  下流側搬送ベルトプーリ
３１  下流側搬送ベルト軸
３２〜３３  軸受
３４  上流側搬送ベルト軸
３５〜３７  上流側搬送ベルト駆動プーリ
３８〜４７  軸受
４８  ウォーム
４９  ウォーム歯車
５０  第１電磁クラッチ
５１  第２電磁クラッチ
５２  第１駆動軸
５３  第２駆動軸
５４  第３駆動軸
５５  排出主動ローラ
５６  排出従動ローラ
５７  吸着パッド
５８〜５９  駆動ベルト
６０  第１駆動プーリ
６１  第２駆動プーリ
６２  第１下流側搬送ベルト軸
６３  第２下流側搬送ベルト軸
６４〜６５  用紙検知センサ
６６  ちらし
６７  支持板
６８  用紙束
【図１】
2010037071.tif 000003
【図２】
2010037071.tif 000004
【図３】
2010037071.tif 000005
【図４】
2010037071.tif 000006
【図５】
2010037071.tif 000007
【図６】
2010037071.tif 000008